(57)【特許請求の範囲】
【請求項１】
竿杆外側に遊動ガイドを保持させるガイド保持部を設け、該ガイド保持部は概ね竿杆の長手方向に延伸した突条を有しており、遊動ガイド基部には前記突条に係合する係合部を有しており、前記突条は主体とするマトリックス樹脂の中に多数本の繊維を混在させており、該混在繊維の大半の指向方向は竿杆の長手方向に対して傾斜方向であると共に、当該突条表面付近において終端していることを特徴とする遊動ガイドを有する釣竿。
【請求項２】
前記混在繊維は、竿杆の長手方向に対して概ね左右対称な２方向に、概ね同量ずつ指向している請求項１記載の遊動ガイドを有する釣竿。
【発明の詳細な説明】
【０００１】
【発明の属する技術分野】
本発明は、外部に遊動ガイドを有する釣竿に関する。
【０００２】
【従来の技術】
遊動ガイドを釣竿の所定位置に信頼性高く保持したり、不用意な回動を防止する工夫が、実公昭５８−２２２２号公報、特開昭６４−２６９６７号公報、特開平２−１３５０３７号公報等に開示されている。第１の公報では、ガイド保持部として、金属や合成樹脂製のパイプ表面に縦方向の突条を設けた構造が開示されており、第２の公報では、低弾性樹脂によって断面非円形に構成しており、第３の公報では、繊維織成体によって凹凸を構成した構造が開示されている。これらの各公報に見られるように、ガイド保持部において、円周方向に凹凸を設けており、遊動ガイドが回転しないように工夫している。
【０００３】
【発明が解決しようとする課題】
然しながら、前後方向の可動性では、第３の公報においては、長手方向に並んだ凹凸によって不用意な動きを防止しようとしているが、第１と第２の公報においては、単なる摩擦力に頼っており、繰り返し使用している内に、保持部が摩耗して摩擦力が低下することが起り得る。第１の公報に開示の金属でガイド保持部を作った場合は、釣竿の撓み性能に大きな影響が出る他、重量増加の問題が生じる。従って、通常、ガイド保持部は合成樹脂を主体として作ることが望ましいが、繰り返しの使用によって摩耗し易く、その結果、遊動ガイドが不用意に抜け易くなるという問題がある。
依って本発明は、繰り返しての使用に耐えて遊動ガイドを保持できる釣竿の提供を目的とする。
【０００４】
【課題を解決するための手段】
上記目的に鑑み本発明の請求項１では、竿杆外側に遊動ガイドを保持させるガイド保持部を設け、該ガイド保持部は概ね竿杆の長手方向に延伸した突条を有しており、遊動ガイド基部には前記突条に係合する係合部を有しており、前記突条は主体とするマトリックス樹脂の中に多数本の繊維を混在させており、該混在繊維の大半の指向方向は竿杆の長手方向に対して傾斜方向であると共に、当該突条表面付近において終端していることを特徴とする遊動ガイドを有する釣竿を提供する。
この突条は、円周方向に凹凸の繰り返される場合も、また、断面多角形の形状の場合も含まれる。また、混在繊維には、短繊維と呼ばれるような繊維も含まれる。更には、突条表面付近において終端しているとは、表面から突出している場合の他、埋れていたり面一状態も含む。また、突条の表面部が塗料層で形成されていてもよく、更にはイオンプレーティングによる被膜を有していてもよい。
請求項２では、前記混在繊維は、竿杆の長手方向に対して概ね左右対称な２方向に、概ね同量ずつ指向している請求項１記載の遊動ガイドを有する釣竿を提供する。
【０００５】
請求項１では、ガイド保持部が長手方向に延伸した突条を有しているため、不用意な遊動ガイドの回動を防止できる。また、突条は、マトリックス樹脂の中に多数本の繊維を混在させているため、合成樹脂だけで形成されている場合よりは摩耗し難く、耐久性がある。然しながら、遊動ガイドを後方に移動させて、ガイド保持部に装着保持させたり、前方に移動させて離隔させるという動作を繰り返す現実の使用では、遊動ガイド基部の係合部によって突条表面の合成樹脂が摩耗して削り取られ、それだけ嵌合が緩くなるが、該マトリックス樹脂に混在している多数本の繊維の大半は該突条表面付近において終端しているため、少なくとも突条表面の合成樹脂が所定量削り取られた跡には繊維端部が露出し、しかも、大半の繊維の指向方向は竿杆の長手方向に対して傾斜方向であるため、遊動ガイドがガイド保持部から前方に抜け出ようとする場合に、これらの露出繊維端部に引っ掛り、抜けが防止される。
【０００６】
請求項２では、混在繊維が概ね左右対称な２方向に概ね同量ずつ指向しているため、摩擦力を大きくして抜け防止に効果的であり、遊動ガイドが竿杆の長手方向に対して左右方向に傾くことを防止できて、安定保持が可能となる。
【０００７】
【発明の実施の形態】
以下、本発明を添付図面に示す実施形態例に基づき、更に詳細に説明する。
図１は本発明に係る遊動ガイドを有する釣竿の要部側面図であり、図２は矢視線Ｂ−Ｂによる拡大横断面図である。エポキシ樹脂等の合成樹脂をマトリックスとし、炭素繊維等の強化繊維で強化した繊維強化樹脂製の竿杆１０の外周適宜位置に、遊動ガイド１４，１４’，１４”を保持させるためのガイド保持部１２，１２’，１２”が設けられている。例えば遊動ガイド１４を例にとれば、竿杆１０を挿通させて、ガイド保持部１２に保持させるための基部Ｋと、釣糸を挿通させるためのガイドリングＧとを有している。他の遊動ガイドも同様である。
【０００８】
前記各ガイド保持部は、竿杆の後方側に向かって外径が大きく形成されたテーパ部位があり、各ガイド保持部の前方に位置している各遊動ガイドの基部Ｋを、前記テーパ部位に押し込んで保持させる。この保持状態において、各遊動ガイドが回動しないように、各ガイド保持部には竿杆の長手方向に延伸した突条１２Ｔが、円周方向に複数条配設されており、各遊動ガイドの基部Ｋの内周には、突条に対応した凹条を有する係合部ＫＫが設けられている。
【０００９】
図３はガイド保持部１２の要部拡大断面図であり、竿杆１０の上に５層の層１２Ａ，１２Ｂ，１２Ｃ，１２Ｄ，１２Ｅを積層し、それに突条１２Ｔが形成された状態のガイド保持部である。これらの各層は、竿杆１０と同様に、繊維強化樹脂製である。その製造方法としては、芯金（図示せず）の上に、竿杆１０の元となるプリプレグを巻回した上に、他のプリプレグを巻回して加熱硬化等によって成形してもよい。また、竿杆１０の元となるプリプレグの上に、繊維を各層毎に巻回し、その後から、竿杆１０の元となるプリプレグと同種又は異種の合成樹脂を含浸させ、結果として、プリプレグを巻回した場合と同じ様に構成し、これらを加熱硬化等によって成形してもよい。
【００１０】
各層１２Ａ，１２Ｂ，１２Ｃ，１２Ｄ，１２Ｅの繊維方向は竿杆１０の長手方向に対して傾斜方向に指向させ、しかも、隣接層間において、前記長手方向に対して対称となる方向に交互に方向を変えている。例えば、４５度、−４５度、４５度、・・・という具合である。この５層内において突条１２Ｔを形成すべく長手方向に沿って研削を行って図３のような構造のガイド保持部１２が形成される。他のガイド保持部も同様である。
【００１１】
然しながら、繊維の傾斜方向は長手方向に対して対称となる方向に交互に方向を変えていなくてもよく、非対称であっても、また、一方の方向のみでもよいが、概ね同量の繊維が対称方向に指向していることが、摩擦力を大きくして抜け防止に効果的であり、遊動ガイドが竿杆の長手方向に対して左右方向に傾くことを防止できて好ましい。更には、ガイド保持部は、上記のように竿杆１０と一緒に加熱形成する場合の他、竿杆１０を成形した後に、肉盛り形成してもよく、また、別体で成形したものを接着等によって竿杆に固定してもよい。また、繊維強化樹脂製ガイド保持部のマトリックス樹脂としては、塗料であってもよい。
【００１２】
以上のようにして形成されたガイド保持部に対し、遊動ガイドの基部の係合部ＫＫと突条１２Ｔとがきつく係合するまで遊動ガイドが後方に移動され、遊動ガイドの保持がなされる。このように最初のうちは遊動ガイドがきつく係合保持されるが、弛めたり係合保持させたりする操作を繰り返している内に、突条１２Ｔの一方の側面１２Ｓと他方の側の側面１２Ｓ’が摩耗し、緩くなる。ガイド保持部は繊維強化樹脂製であるため、繊維よりもマトリックス樹脂の方が摩耗し易いため、摩耗した突条１２Ｔは、その状態を模式的に示した図４のようになる。
【００１３】
即ち、既述の製法から分るように、各層の繊維は、研削前には円周方向に連続していて繊維端部は各突条領域には殆ど無かったが、円周方向に連続していた繊維も研削によって分断され、各突条の左右の側面１２Ｓ，１２Ｓ’付近に繊維端部が存在することとなった。この突条の表面が摩耗するため、多くの繊維端部が突条表面に露出し、図４のようになるのである。
【００１４】
図４の上方を竿杆の手元側（後方）とすれば、この突条１２Ｔと係合した遊動ガイドは、突条が摩耗して、その分細くなっているため緩み易く、図の矢視方向（先方向）に移動して抜けようとする。然しながら、突条の右側側面１２Ｓに突出した繊維の内、例えば４５度の方向に指向した繊維Ｓ１の露出端部と、突条の左側側面１２Ｓ’に突出した繊維の内、例えば−４５度の方向に指向した繊維Ｓ２の露出端部とによって、遊動ガイドの基部の係合部ＫＫに対し、遊動ガイドの抜け方向に対して摩擦抵抗力となり、弛み抜け防止作用を果たす。
【００１５】
なお、ガイド保持部に混在している繊維は、大半が傾斜方向指向であるため、撓み剛性が小さく、竿杆１０の撓み特性に大きな影響を与えないで済む。
【００１６】
【発明の効果】
以上の説明から明らかなように本発明によれば、繰り返しての使用に耐えて遊動ガイドを保持できる釣竿の提供が可能となる。
【図面の簡単な説明】
【図１】図１は本発明に係る遊動ガイドを有する釣竿の要部側面図である。
【図２】図２は図１の矢視線Ｂ−Ｂによる拡大横断面図である。
【図３】図３は図２の要部の拡大図である。
【図４】図４は作用説明図である。
【符号の説明】
１２，１２’，１２”            ガイド保持部
１４，１４’，１４”            遊動ガイド
１２Ｔ                          突条
Ｋ                              遊動ガイド基部
ＫＫ                            係合部
Ｓ１，Ｓ２                      繊維
【図１】
0003922683.tif 000002
【図２】
0003922683.tif 000003
【図３】
0003922683.tif 000004
【図４】
0003922683.tif 000005